【手続補正書】
【提出日】平成16年1月16日(2004.1.16)
【手続補正１】
【補正対象書類名】明細書
【補正対象項目名】特許請求の範囲
【補正方法】変更
【補正の内容】
【特許請求の範囲】
【請求項１】
各ビデオパケットについて、画像の符号化方式に関する属性値を検出する属性値検出部と、
複数の前記属性値に基づき、各前記ビデオパケットの優先度を算出する優先度算出部と、
前記優先度に基づき選択したビデオパケットを送信するパケット送信部とを備えた、動画像符号化データ送信装置。
【請求項２】
動画像を構成する各画像ごとに画像内符号化または画像間符号化を選択し、画像内符号化すべき画像に含まれるすべてのブロックを画像内符号化し、画像間符号化すべき画像に含まれる各ブロックを画像内符号化または画像間符号化して得られた動画像符号化データを送信する動画像符号化データ送信装置であって、
前記動画像符号化データを画像のブロック単位で分割して得られた複数のビデオパケットの供給を受け、前記ビデオパケットを蓄積するパケット蓄積部と、
各前記ビデオパケットについて、画像の符号化方式に関する複数の属性値を検出する属性値検出部と、
前記複数の属性値に基づき、各前記ビデオパケットの優先度を算出する優先度算出部と、
前記パケット蓄積部に蓄積されたビデオパケットのうち、前記優先度と許容される伝送容量とに基づき選択したビデオパケットを送信するパケット送信部とを備えた、動画像符号化データ送信装置。
【請求項３】
前記属性値検出部は、
各前記ビデオパケットに対応した画像の符号化タイプを検出する画像符号化タイプ検出部と、
各前記ビデオパケットに対応した画像と当該画像よりも前にあって最も近い画像内符号化された画像との間にある画像の数を検出する画像間符号化画像数検出部と、
各前記ビデオパケットに含まれる画像内符号化されたブロックの数を検出する画像内符号化ブロック数検出部とを含むことを特徴とする、請求項２に記載の動画像符号化データ送信装置。
【請求項４】
前記画像内符号化ブロック数検出部は、各前記ビデオパケットについて、当該ビデオパケットに含まれるブロックの数と当該ビデオパケットのサイズとに基づき、当該ビデオパケットに含まれる画像内符号化されたブロックの数を推定することを特徴とする、請求項３に記載の動画像符号化データ送信装置。
【請求項５】
前記画像内符号化ブロック数検出部は、各前記ビデオパケットについて、当該ビデオパケットに含まれるブロックの数と当該ビデオパケットのサイズと画像内符号化された画像に含まれるブロックの平均データサイズとに基づき、当該ビデオパケットに含まれる画像内符号化されたブロックの数を推定することを特徴とする、請求項４に記載の動画像符号化データ送信装置。
【請求項６】
前記パケット送信部は、送信されるビデオパケットのデータ量が前記伝送容量を越えない範囲内で、送信すべきビデオパケットを前記優先度に従って選択することを特徴とする、請求項２に記載の動画像符号化データ送信装置。
【請求項７】
前記伝送容量は、受信装置との間で折衝して定めた値であることを特徴とする、請求項２に記載の動画像符号化データ送信装置。
【請求項８】
前記伝送容量は、通信路の伝送容量から前記通信路においてビデオパケットの再送用に割り当てた伝送容量を引いた値であることを特徴とする、請求項２に記載の動画像符号化データ送信装置。
【請求項９】
前記動画像符号化データは、複数の動画像を個別に符号化して得られたものであることを特徴とする、請求項２に記載の動画像符号化データ送信装置。
【請求項１０】
前記パケット送信部は、各動画像を個別に符号化したときのデータ量に応じて前記伝送容量を分割し、前記優先度と分割された前記伝送容量とに基づき、動画像ごとに送信すべきビデオパケットを選択することを特徴とする、請求項９に記載の動画像符号化データ送信装置。
【請求項１１】
各ビデオパケットについて、画像の符号化方式に関する属性値を検出する属性値検出ステップと、
複数の前記属性値に基づき、各前記ビデオパケットの優先度を算出する優先度算出ステップと、
前記優先度に基づき選択したビデオパケットを送信するパケット送信ステップとを備えた、動画像符号化データ送信方法。
【請求項１２】
動画像を構成する各画像ごとに画像内符号化または画像間符号化を選択し、画像内符号化すべき画像に含まれるすべてのブロックを画像内符号化し、画像間符号化すべき画像に含まれる各ブロックを画像内符号化または画像間符号化して得られた動画像符号化データを送信する動画像符号化データ送信方法であって、
前記動画像符号化データを画像のブロック単位で分割して得られた複数のビデオパケットの供給を受け、前記ビデオパケットを蓄積するパケット蓄積ステップと、
各前記ビデオパケットについて、画像の符号化方式に関する複数の属性値を検出する属性値検出ステップと、
前記複数の属性値に基づき、各前記ビデオパケットの優先度を算出する優先度算出ステップと、
前記パケット蓄積ステップにおいて蓄積されたビデオパケットのうち、前記優先度と許容される伝送容量とに基づき選択したビデオパケットを送信するパケット送信ステップとを備えた、動画像符号化データ送信方法。
【請求項１３】
前記属性値検出ステップは、
各前記ビデオパケットに対応した画像の符号化タイプを検出する画像符号化タイプ検出ステップと、
各前記ビデオパケットに対応した画像と当該画像よりも前にあって最も近い画像内符号化された画像との間にある画像の数を検出する画像間符号化画像数検出ステップと、
各前記ビデオパケットに含まれる画像内符号化されたブロックの数を検出する画像内符号化ブロック数検出ステップとを含むことを特徴とする、請求項１２に記載の動画像符号化データ送信方法。
【請求項１４】
前記画像内符号化ブロック数検出ステップは、各前記ビデオパケットについて、当該ビデオパケットに含まれるブロックの数と当該ビデオパケットのサイズとに基づき、当該ビデオパケットに含まれる画像内符号化されたブロックの数を推定することを特徴とする、請求項１３に記載の動画像符号化データ送信方法。
【請求項１５】
前記画像内符号化ブロック数検出ステップは、各前記ビデオパケットについて、当該ビデオパケットに含まれるブロックの数と当該ビデオパケットのサイズと画像内符号化された画像に含まれるブロックの平均データサイズとに基づき、当該ビデオパケットに含まれる画像内符号化されたブロックの数を推定することを特徴とする、請求項１４に記載の動画像符号化データ送信方法。
【請求項１６】
前記パケット送信ステップは、送信されるビデオパケットのデータ量が前記伝送容量を越えない範囲内で、送信すべきビデオパケットを前記優先度に従って選択することを特徴とする、請求項１２に記載の動画像符号化データ送信方法。
【請求項１７】
前記伝送容量は、受信側との間で折衝して定めた値であることを特徴とする、請求項１２に記載の動画像符号化データ送信方法。
【請求項１８】
前記伝送容量は、通信路の伝送容量から前記通信路においてビデオパケットの再送用に割り当てた伝送容量を引いた値であることを特徴とする、請求項１２に記載の動画像符号化データ送信方法。
【請求項１９】
前記動画像符号化データは、複数の動画像を個別に符号化して得られたものであることを特徴とする、請求項１２に記載の動画像符号化データ送信方法。
【請求項２０】
前記パケット送信ステップは、各動画像を個別に符号化したときのデータ量に応じて前記伝送容量を分割し、前記優先度と分割された前記伝送容量とに基づき、動画像ごとに送信すべきビデオパケットを選択することを特徴とする、請求項１９に記載の動画像符号化データ送信方法。
【手続補正２】
【補正対象書類名】明細書
【補正対象項目名】００１５
【補正方法】変更
【補正の内容】
【００１５】
【課題を解決するための手段および発明の効果】
第１の発明は、動画像符号化データ送信装置であって、
各ビデオパケットについて、画像の符号化方式に関する属性値を検出する属性値検出部と、
複数の属性値に基づき、各ビデオパケットの優先度を算出する優先度算出部と、
優先度に基づき選択したビデオパケットを送信するパケット送信部とを備える。
第２の発明は、動画像を構成する各画像ごとに画像内符号化または画像間符号化を選択し、画像内符号化すべき画像に含まれるすべてのブロックを画像内符号化し、画像間符号化すべき画像に含まれる各ブロックを画像内符号化または画像間符号化して得られた動画像符号化データを送信する動画像符号化データ送信装置であって、
動画像符号化データを画像のブロック単位で分割して得られた複数のビデオパケットの供給を受け、ビデオパケットを蓄積するパケット蓄積部と、
各ビデオパケットについて、画像の符号化方式に関する複数の属性値を検出する属性値検出部と、
複数の属性値に基づき、各ビデオパケットの優先度を算出する優先度算出部と、
パケット蓄積部に蓄積されたビデオパケットのうち、優先度と許容される伝送容量とに基づき選択したビデオパケットを送信するパケット送信部とを備える。


【手続補正３】
【補正対象書類名】明細書
【補正対象項目名】００１６
【補正方法】変更
【補正の内容】
【００１６】
このような第２の発明によれば、各ビデオパケットについて画像の符号化に関する複数の属性値が検出され、検出された属性値に基づき優先度が算出され、さらに、算出された優先度に基づき選択されたビデオパケットが送信される。したがって、再生画像の画質に大きな影響を与えるビデオパケットには高い優先度を与えて優先的に送信することにより、再生画像の画質を大きく劣化させることなく、伝送容量の範囲内で動画像符号化データを送信することができる。


【手続補正４】
【補正対象書類名】明細書
【補正対象項目名】００１７
【補正方法】変更
【補正の内容】
【００１７】
第３の発明は、第２の発明において、属性値検出部は、
各ビデオパケットに対応した画像の符号化タイプを検出する画像符号化タイプ検出部と、
各ビデオパケットに対応した画像と当該画像よりも前にあって最も近い画像内符号化された画像との間にある画像の数を検出する画像間符号化画像数検出部と、
各ビデオパケットに含まれる画像内符号化されたブロックの数を検出する画像内符号化ブロック数検出部とを含むことを特徴とする。


【手続補正５】
【補正対象書類名】明細書
【補正対象項目名】００１８
【補正方法】変更
【補正の内容】
【００１８】
このような第３の発明によれば、各ビデオパケットについて、画像の符号化タイプと画像間符号化画像数と画像内符号化ブロック数とが、画像の符号化方式に関する属性値として検出される。したがって、これらの属性値を用いることにより、各ビデオパケットが再生画像の画質に大きな影響を与えるか否かを、効果的に判断することができる。


【手続補正６】
【補正対象書類名】明細書
【補正対象項目名】００１９
【補正方法】変更
【補正の内容】
【００１９】
第４の発明は、第３の発明において、画像内符号化ブロック数検出部は、各ビデオパケットについて、当該ビデオパケットに含まれるブロックの数と当該ビデオパケットのサイズとに基づき、当該ビデオパケットに含まれる画像内符号化されたブロックの数を推定することを特徴とする。


【手続補正７】
【補正対象書類名】明細書
【補正対象項目名】００２０
【補正方法】変更
【補正の内容】
【００２０】
このような第４の発明によれば、ビデオパケットの構造から容易に得られる属性値を用いることにより、ビデオパケットを復号化することなく、画像内符号化ブロック数を簡易な処理で検出することができる。


【手続補正８】
【補正対象書類名】明細書
【補正対象項目名】００２１
【補正方法】変更
【補正の内容】
【００２１】
第５の発明は、第４の発明において、画像内符号化ブロック数検出部は、各ビデオパケットについて、当該ビデオパケットに含まれるブロックの数と当該ビデオパケットのサイズと画像内符号化された画像に含まれるブロックの平均データサイズとに基づき、当該ビデオパケットに含まれる画像内符号化されたブロックの数を推定することを特徴とする。


【手続補正９】
【補正対象書類名】明細書
【補正対象項目名】００２２
【補正方法】変更
【補正の内容】
【００２２】
このような第５の発明によれば、ビデオパケットの構造から容易に得られる、画像内符号化された画像に含まれるブロックの平均データサイズを用いることにより、画像内符号化ブロック数を簡易な処理で検出することができる。


【手続補正１０】
【補正対象書類名】明細書
【補正対象項目名】００２３
【補正方法】変更
【補正の内容】
【００２３】
第６の発明は、第１の発明において、パケット送信部は、送信されるビデオパケットのデータ量が伝送容量を越えない範囲内で、送信すべきビデオパケットを優先度に従って選択することを特徴とする。


【手続補正１１】
【補正対象書類名】明細書
【補正対象項目名】００２４
【補正方法】変更
【補正の内容】
【００２４】
このような第６の発明によれば、送信データ量が伝送容量を越えない範囲内で、優先度の高いビデオパケットを優先して選択することにより、再生画像の画質を大きく劣化させることなく、伝送容量の範囲内で動画像符号化データを送信することができる。


【手続補正１２】
【補正対象書類名】明細書
【補正対象項目名】００２５
【補正方法】変更
【補正の内容】
【００２５】
第７の発明は、第１の発明において、伝送容量は、受信装置との間で折衝して定めた値であることを特徴とする。


【手続補正１３】
【補正対象書類名】明細書
【補正対象項目名】００２６
【補正方法】変更
【補正の内容】
【００２６】
このような第７の発明によれば、受信装置の特性や通信路の状態に応じて伝送容量を切り替えて、伝送容量の範囲内で動画像符号化データを送信することができる。


【手続補正１４】
【補正対象書類名】明細書
【補正対象項目名】００２７
【補正方法】変更
【補正の内容】
【００２７】
第８の発明は、第１の発明において、伝送容量は、通信路の伝送容量から通信路においてビデオパケットの再送用に割り当てた伝送容量を引いた値であることを特徴とする。


【手続補正１５】
【補正対象書類名】明細書
【補正対象項目名】００２８
【補正方法】変更
【補正の内容】
【００２８】
このような第８の発明によれば、ビデオパケットの再送を考慮して伝送容量を決定し、伝送容量の範囲内で動画像符号化データを送信することができる。


【手続補正１６】
【補正対象書類名】明細書
【補正対象項目名】００２９
【補正方法】変更
【補正の内容】
【００２９】
第９の発明は、第１の発明において、動画像符号化データは、複数の動画像を個別に符号化して得られたものであることを特徴とする。


【手続補正１７】
【補正対象書類名】明細書
【補正対象項目名】００３０
【補正方法】変更
【補正の内容】
【００３０】
このような第９の発明によれば、複数の動画像に対応したビデオパケットが供給された場合でも、再生画像の画質に大きな影響を与えるビデオパケットには高い優先度を与えて優先的に送信することにより、再生画像の画質を大きく劣化させることなく、伝送容量の範囲内で動画像符号化データを送信することができる。


【手続補正１８】
【補正対象書類名】明細書
【補正対象項目名】００３１
【補正方法】変更
【補正の内容】
【００３１】
第１０の発明は、第９の発明において、パケット送信部は、各動画像を個別に符号化したときのデータ量に応じて伝送容量を分割し、優先度と分割された伝送容量とに基づき、動画像ごとに送信すべきビデオパケットを選択することを特徴とする。


【手続補正１９】
【補正対象書類名】明細書
【補正対象項目名】００３２
【補正方法】変更
【補正の内容】
【００３２】
このような第１０の発明によれば、複数の動画像に対応したビデオパケットが供給された場合には、動画像ごとに伝送容量を割り当て、動画像ごとに送信すべきビデオパケットを選択することにより、再生画像のそれぞれについて画質が大きく劣化することを防止することができる。


【手続補正２０】
【補正対象書類名】明細書
【補正対象項目名】００３３
【補正方法】変更
【補正の内容】
【００３３】
第１１の発明は、動画像符号化データ送信方法であって、
各ビデオパケットについて、画像の符号化方式に関する属性値を検出する属性値検出ステップと、
複数の属性値に基づき、各ビデオパケットの優先度を算出する優先度算出ステップと、
優先度に基づき選択したビデオパケットを送信するパケット送信ステップとを備える。
第１２の発明は、動画像を構成する各画像ごとに画像内符号化または画像間符号化を選択し、画像内符号化すべき画像に含まれるすべてのブロックを画像内符号化し、画像間符号化すべき画像に含まれる各ブロックを画像内符号化または画像間符号化して得られた動画像符号化データを送信する動画像符号化データ送信方法であって、
動画像符号化データを画像のブロック単位で分割して得られた複数のビデオパケットの供給を受け、ビデオパケットを蓄積するパケット蓄積ステップと、
各ビデオパケットについて、画像の符号化方式に関する複数の属性値を検出する属性値検出ステップと、
複数の属性値に基づき、各ビデオパケットの優先度を算出する優先度算出ステップと、
パケット蓄積ステップにおいて蓄積されたビデオパケットのうち、優先度と許容される伝送容量とに基づき選択したビデオパケットを送信するパケット送信ステップとを備える。


【手続補正２１】
【補正対象書類名】明細書
【補正対象項目名】００３４
【補正方法】変更
【補正の内容】
【００３４】
このような第１２の発明によれば、各ビデオパケットについて画像の符号化に関する複数の属性値が検出され、検出された属性値に基づき優先度が算出され、さらに、算出された優先度に基づき選択されたビデオパケットが送信される。したがって、再生画像の画質に大きな影響を与えるビデオパケットには高い優先度を与えて優先的に送信することにより、再生画像の画質を大きく劣化させることなく、伝送容量の範囲内で動画像符号化データを送信することができる。


【手続補正２２】
【補正対象書類名】明細書
【補正対象項目名】００３５
【補正方法】変更
【補正の内容】
【００３５】
第１３の発明は、第１２の発明において、属性値検出ステップは、
各ビデオパケットに対応した画像の符号化タイプを検出する画像符号化タイプ検出ステップと、
各ビデオパケットに対応した画像と当該画像よりも前にあって最も近い画像内符号化された画像との間にある画像の数を検出する画像間符号化画像数検出ステップと、
各ビデオパケットに含まれる画像内符号化されたブロックの数を検出する画像内符号化ブロック数検出ステップとを含むことを特徴とする。


【手続補正２３】
【補正対象書類名】明細書
【補正対象項目名】００３６
【補正方法】変更
【補正の内容】
【００３６】
このような第１３の発明によれば、各ビデオパケットについて、画像の符号化タイプと画像間符号化画像数と画像内符号化ブロック数とが、画像の符号化方式に関する属性値として検出される。したがって、これらの属性値を用いることにより、各ビデオパケットが再生画像の画質に大きな影響を与えるか否かを、効果的に判断することができる。


【手続補正２４】
【補正対象書類名】明細書
【補正対象項目名】００３７
【補正方法】変更
【補正の内容】
【００３７】
第１４の発明は、第１３の発明において、画像内符号化ブロック数検出ステップは、各ビデオパケットについて、当該ビデオパケットに含まれるブロックの数と当該ビデオパケットのサイズとに基づき、当該ビデオパケットに含まれる画像内符号化されたブロックの数を推定することを特徴とする。


【手続補正２５】
【補正対象書類名】明細書
【補正対象項目名】００３８
【補正方法】変更
【補正の内容】
【００３８】
このような第１４の発明によれば、ビデオパケットの構造から容易に得られる属性値を用いることにより、ビデオパケットを復号化することなく、画像内符号化ブロック数を簡易な処理で検出することができる。


【手続補正２６】
【補正対象書類名】明細書
【補正対象項目名】００３９
【補正方法】変更
【補正の内容】
【００３９】
第１５の発明は、第１４の発明において、画像内符号化ブロック数検出ステップは、各ビデオパケットについて、当該ビデオパケットに含まれるブロックの数と当該ビデオパケットのサイズと画像内符号化された画像に含まれるブロックの平均データサイズとに基づき、当該ビデオパケットに含まれる画像内符号化されたブロックの数を推定することを特徴とする。


【手続補正２７】
【補正対象書類名】明細書
【補正対象項目名】００４０
【補正方法】変更
【補正の内容】
【００４０】
このような第１５の発明によれば、ビデオパケットの構造から容易に得られる、画像内符号化された画像に含まれるブロックの平均データサイズを用いることにより、画像内符号化ブロック数を簡易な処理で検出することができる。


【手続補正２８】
【補正対象書類名】明細書
【補正対象項目名】００４１
【補正方法】変更
【補正の内容】
【００４１】
第１６の発明は、第１２の発明において、パケット送信ステップは、送信されるビデオパケットのデータ量が伝送容量を越えない範囲内で、送信すべきビデオパケットを優先度に従って選択することを特徴とする。


【手続補正２９】
【補正対象書類名】明細書
【補正対象項目名】００４２
【補正方法】変更
【補正の内容】
【００４２】
このような第１６の発明によれば、送信データ量が伝送容量を越えない範囲内で、優先度の高いビデオパケットを優先して選択することにより、再生画像の画質を大きく劣化させることなく、伝送容量の範囲内で動画像符号化データを送信することができる。


【手続補正３０】
【補正対象書類名】明細書
【補正対象項目名】００４３
【補正方法】変更
【補正の内容】
【００４３】
第１７の発明は、第１２の発明において、伝送容量は、受信側との間で折衝して定めた値であることを特徴とする。


【手続補正３１】
【補正対象書類名】明細書
【補正対象項目名】００４４
【補正方法】変更
【補正の内容】
【００４４】
このような第１７の発明によれば、受信側の特性や通信路の状態に応じて伝送容量を切り替えて、伝送容量の範囲内で動画像符号化データを送信することができる。


【手続補正３２】
【補正対象書類名】明細書
【補正対象項目名】００４５
【補正方法】変更
【補正の内容】
【００４５】
第１８の発明は、第１２の発明において、伝送容量は、通信路の伝送容量から通信路においてビデオパケットの再送用に割り当てた伝送容量を引いた値であることを特徴とする。


【手続補正３３】
【補正対象書類名】明細書
【補正対象項目名】００４６
【補正方法】変更
【補正の内容】
【００４６】
このような第１８の発明によれば、ビデオパケットの再送を考慮して伝送容量を決定し、伝送容量の範囲内で動画像符号化データを送信することができる。


【手続補正３４】
【補正対象書類名】明細書
【補正対象項目名】００４７
【補正方法】変更
【補正の内容】
【００４７】
第１９の発明は、第１２の発明において、動画像符号化データは、複数の動画像を個別に符号化して得られたものであることを特徴とする。


【手続補正３５】
【補正対象書類名】明細書
【補正対象項目名】００４８
【補正方法】変更
【補正の内容】
【００４８】
このような第１９の発明によれば、複数の動画像に対応したビデオパケットが供給された場合でも、再生画像の画質に大きな影響を与えるビデオパケットには高い優先度を与えて優先的に送信することにより、再生画像の画質を大きく劣化させることなく、伝送容量の範囲内で動画像符号化データを送信することができる。


【手続補正３６】
【補正対象書類名】明細書
【補正対象項目名】００４９
【補正方法】変更
【補正の内容】
【００４９】
第２０の発明は、第１９の発明において、パケット送信ステップは、各動画像を個別に符号化したときのデータ量に応じて伝送容量を分割し、優先度と分割された伝送容量とに基づき、動画像ごとに送信すべきビデオパケットを選択することを特徴とする。


【手続補正３７】
【補正対象書類名】明細書
【補正対象項目名】００５０
【補正方法】変更
【補正の内容】
【００５０】
このような第２０の発明によれば、複数の動画像に対応したビデオパケットが供給された場合には、動画像ごとに伝送容量を割り当て、動画像ごとに送信すべきビデオパケットを選択することにより、再生画像のそれぞれについて画質が大きく劣化することを防止することができる。